(57)【要約】【課題】標本等との接触に起因する衝撃を緩和することができる簡単な構造を有する顕微鏡対物レンズを提供する。【解決手段】顕微鏡対物レンズ１０は、顕微鏡に固定される外枠１と、外枠１内に配置された複数のレンズ部組と、弾性部材であるスプリング４とを備える。複数のレンズ部組は、物体側から順に、外枠１に対して光軸ＡＸの方向に移動自在に配置された少なくとも１つのレンズ部組である前群Ｇ１と、外枠１内で固定された少なくとも１つのレンズ部組である後群Ｇ２、を含んでいる。また、スプリング４は、前群Ｇ１と後群Ｇ２の間に一端が前群Ｇ１に接するように配置されていて、前群Ｇ１を光軸ＡＸの方向に沿って物体側に付勢する。【選択図】図１
2018005185.tif 000002
【特許請求の範囲】
【請求項１】
顕微鏡に固定される外枠と、
前記外枠内に配置された複数のレンズ部組であって、物体側から順に、前記外枠に対して光軸方向に移動自在に配置された少なくとも１つのレンズ部組である前群と、前記外枠内で固定された少なくとも１つのレンズ部組である後群と、を含む複数のレンズ部組と、
前記前群と前記後群の間に一端が前記前群に接するように配置された、前記前群を光軸方向に沿って物体側に付勢する弾性部材と、を備える
ことを特徴とする顕微鏡対物レンズ。
【請求項２】
請求項１に記載の顕微鏡対物レンズにおいて、さらに、
前記前群と前記後群の間に配置された、前記後群の前記光軸方向の移動を規制する規制部材を備え、
前記弾性部材は、前記前群と前記規制部材の間に前記一端が前記前群に接し他端が前記規制部材に接するように配置される
ことを特徴とする顕微鏡対物レンズ。
【請求項３】
請求項１に記載の顕微鏡対物レンズにおいて、さらに、
前記前群と前記後群の間に配置された、前記後群の前記光軸方向の移動を規制する規制部材を備え、
前記弾性部材は、前記前群と前記後群の間に前記一端が前記前群に接し他端が前記後群に接するように配置される
ことを特徴とする顕微鏡対物レンズ。
【請求項４】
請求項２又は請求項３に記載の顕微鏡対物レンズにおいて、さらに、
前記規制部材を前記外枠に固定する固定部材を備える
ことを特徴とする顕微鏡対物レンズ。
【請求項５】
請求項２乃至請求項４のいずれか１項に記載の顕微鏡対物レンズにおいて、さらに、
前記規制部材と前記後群の間に間隔調整部材を備える
ことを特徴とする顕微鏡対物レンズ。
【請求項６】
請求項１に記載の顕微鏡対物レンズにおいて、
前記外枠は、前記前群と前記後群の間に突出した、前記後群の前記光軸方向の移動を規制する規制部を有し、
前記弾性部材は、前記前群と前記規制部の間に前記一端が前記前群に接し他端が前記規制部に接するように配置される
ことを特徴とする顕微鏡対物レンズ。
【請求項７】
請求項１に記載の顕微鏡対物レンズにおいて、さらに、
前記後群の最も物体側のレンズ部組を前記外枠に固定する固定部材を備える
ことを特徴とする顕微鏡対物レンズ。
【発明の詳細な説明】
【技術分野】
【０００１】
本発明の開示は、顕微鏡対物レンズに関する。
【背景技術】
【０００２】
従来から、標本等との接触時に生じる衝撃を緩和する緩衝機構を備える顕微鏡対物レンズが知られている。緩衝機構は、標本等との接触が発生しやすい作動距離が短い対物レンズで採用されることが一般的であり、そのような対物レンズは、例えば、特許文献１に記載されている。
【先行技術文献】
【特許文献】
【０００３】
【特許文献１】特開２００６−３３７７４６号公報
【発明の概要】
【発明が解決しようとする課題】
【０００４】
しかしながら、従来の緩衝機構を備える対物レンズは、緩衝機構を備えない対物レンズに比べて構造が複雑である。このため、部品点数が多くなり、組み立て作業も煩雑になるため、製造原価の低減が難しい。
【０００５】
以上のような実情を踏まえ、本発明の一側面は、標本等との接触に起因する衝撃を緩和することができる簡単な構造を有する顕微鏡対物レンズを提供することを目的とする。
【課題を解決するための手段】
【０００６】
本発明の一態様に係る顕微鏡対物レンズは、顕微鏡に固定される外枠と、前記外枠内に配置された複数のレンズ部組であって、物体側から順に、前記外枠に対して光軸方向に移動自在に配置された少なくとも１つのレンズ部組である前群と、前記外枠内で固定された少なくとも１つのレンズ部組である後群と、を含む複数のレンズ部組と、前記前群と前記後群の間に一端が前記前群に接するように配置された、前記前群を光軸方向に沿って物体側に付勢する弾性部材と、を備える。
【発明の効果】
【０００７】
本発明の一側面によれば、標本等との接触に起因する衝撃を緩和することができる簡単な構造を有する顕微鏡対物レンズを提供することができる。
【図面の簡単な説明】
【０００８】
【図１】実施例１に係る顕微鏡対物レンズの断面図である。
【図２】緩衝構造を有する従来の顕微鏡対物レンズの一例を示した図である。
【図３】変形例に係る顕微鏡対物レンズの断面図である。
【図４】別の変形例に係る顕微鏡対物レンズの断面図である。
【図５】更に別の変形例に係る顕微鏡対物レンズの断面図である。
【図６】実施例２に係る顕微鏡対物レンズの断面図である。
【図７】実施例３に係る顕微鏡対物レンズの断面図である。
【図８】実施例４に係る顕微鏡対物レンズの断面図である。
【発明を実施するための形態】
【実施例１】
【０００９】
図１は、本実施例に係る顕微鏡対物レンズ１０の断面図であり、光軸ＡＸに沿った面における顕微鏡対物レンズ１０の断面を示している。図１に示される顕微鏡対物レンズ１０は、先端が標本等と接触したときに外枠１内に配置された複数のレンズ部組の一部が光軸方向に移動することで衝撃を緩和する緩衝構造を備える対物レンズである。
【００１０】
顕微鏡対物レンズ１０は、外枠１と、外枠１を覆うカバー７と、外枠１内に配置された複数のレンズ部組（レンズ部組３ａ、レンズ部組３ｂ、レンズ部組３ｃ、レンズ部組３ｄ、レンズ部組３ｅ、レンズ部組３ｆ）を備える。外枠１は、外枠１に形成されたねじ山１ａが顕微鏡のレボルバ等に螺合することで、顕微鏡に固定される。
【００１１】
各レンズ部組は、レンズ（レンズＬ１、レンズＬ２、レンズＬ３、レンズＬ４、レンズＬ５、レンズＬ６）とレンズを固定するレンズ枠（レンズ枠２ａ、レンズ枠２ｂ、レンズ枠２ｃ、レンズ枠２ｄ、レンズ枠２ｅ、レンズ枠２ｆ）からなり、それらは、例えば、接着剤によって互いに固定される。
【００１２】
複数のレンズ部組のうちレンズ部組３ａ及びレンズ部組３ｂは、外枠１に対して顕微鏡対物レンズ１０の光軸ＡＸの方向に移動自在に配置されている。一方、残りのレンズ部組みであるレンズ部組３ｃ、レンズ部組３ｄ、レンズ部組３ｅ及びレンズ部組３ｆは、外枠１内に固定されている。以降では、光軸方向に移動自在に配置されたレンズ部組３ａ及びレンズ部組３ｂをまとめて前群Ｇ１と記す。また、残りのレンズ部組をまとめて後群Ｇ２と記す。即ち、外枠１内に配置された複数のレンズ部組は、物体側から順に、前群Ｇ１と後群Ｇ２を含んでいる。
【００１３】
顕微鏡対物レンズ１０は、さらに、押さえ環２と、スプリング４と、リング部材５と、螺子６を備える。リング部材５は、後群Ｇ２の光軸方向の移動を規制する規制部材である。リング部材５には、螺子穴が形成されている。螺子６が外枠１に形成された貫通穴を通ってリング部材５に形成された螺子穴に挿入されてリング部材５に螺合されることで、リング部材５が外枠１に固定される。即ち、螺子６はリング部材５を外枠１に固定する固定部材である。
【００１４】
リング部材５は、前群Ｇ１と後群Ｇ２の間に配置されて、外枠１に固定される。後群Ｇ２は、外枠１内においてリング部材５の像側に配置され、ねじ山１ｂに螺合した押さえ環２によって像側からリング部材５に向かって押圧されることで外枠１内に固定される。
【００１５】
スプリング４は、前群Ｇ１と後群Ｇ２の間に一端が前群Ｇ１に接するように配置された、前群Ｇ１を光軸方向に沿って物体側に付勢する弾性部材である。スプリング４は、より具体的には、前群Ｇ１とリング部材５の間に一端が前群Ｇ１に接し他端がリング部材５に接するように配置されている。
【００１６】
以上のように構成された顕微鏡対物レンズ１０では、顕微鏡対物レンズ１０の先端部分が標本等に衝突すると、前群Ｇ１が光軸方向に沿って移動し、衝撃がスプリング４で吸収されて緩和される。このため、衝突によって生じる標本等の損傷及び顕微鏡対物レンズ１０の破損を防止することができる。
【００１７】
また、顕微鏡対物レンズ１０では、レンズ部組（レンズ枠）間に螺子６で外枠１に固定されたリング部材５とスプリング４とを設けた簡単な構造によって緩衝構造を実現している。このため、緩衝構造を有しない対物レンズと比較した部品点数の増加を抑えることができる。この点について、図２を参照しながら更に詳細に説明する。
【００１８】
図２は、緩衝構造を有する従来の顕微鏡対物レンズ１００の一例を示した図である。顕微鏡対物レンズ１００は、顕微鏡対物レンズ１０と比較すると以下の点が異なる。まず、複数のレンズ部組が配置された中枠１０２が外枠１０１の内側に設けられていて、外枠１０１に対して摺動する点が異なる。次に、中枠１０２の摺動範囲を規制するストッパ１０３及び中枠１０２に形成された長溝１０２ａに係合するピン１０４を有する点も異なる。さらに、弾性部材であるスプリング１０５が外枠１０１に螺合された押さえ環１０６と中枠１０２に螺合された押さえ環２の間に設けられている点も異なる。
【００１９】
顕微鏡対物レンズ１０では、緩衝構造を有しない対物レンズと比較して追加される部品は、スプリング４、リング部材５及び螺子６の３点である。これに対して、従来の顕微鏡対物レンズ１００では、追加される部品は、中枠１０２、ストッパ１０３、ピン１０４、スプリング１０５及び押さえ環１０６の５点である。つまり、顕微鏡対物レンズ１０によれば、緩衝構造を有する従来の顕微鏡対物レンズ１００と比較して部品点数を２点削減することができる。従って、部品点数の削減とそれに伴う組み立て工数の削減により製造原価を抑えることができる。
【００２０】
また、顕微鏡対物レンズ１００では、衝突時に全てのレンズ部組が中枠１０２とともに移動する。これに対して、顕微鏡対物レンズ１０では、一部のレンズ部組だけが移動するので、移動する構造の重量が従来の顕微鏡対物レンズ１００の場合よりも軽量になる。この点も、衝突によって生じる標本等の損傷防止及び顕微鏡対物レンズ１０の破損防止に寄与する。
【００２１】
図３は、変形例に係る顕微鏡対物レンズ１１の断面図である。顕微鏡対物レンズ１１は、スプリング４及びリング部材５がレンズ部組３ｃとレンズ部組３ｄの間に配置されている点が、顕微鏡対物レンズ１０とは異なる。顕微鏡対物レンズ１１では、前群Ｇ１はレンズ部組３ａ、レンズ部組３ｂ及びレンズ部組３ｃからなり、これらの３つのレンズ部組が衝突時に光軸方向に移動する。
【００２２】
顕微鏡対物レンズ１１によっても、顕微鏡対物レンズ１０と同様に、簡単な構造で標本等との接触に起因する衝撃を緩和することができる。なお、スプリング４が衝撃を吸収するのに十分な量だけ伸縮できる限り、スプリング４及びリング部材５は任意のレンズ部組間に配置することができる。
【００２３】
図４は、別の変形例に係る顕微鏡対物レンズ１２の断面図である。顕微鏡対物レンズ１２は、スプリング４が前群Ｇ１と後群Ｇ２の間に配置されていて、その一端が前群Ｇ１（レンズ枠２ｂ）に接している点は、顕微鏡対物レンズ１０と同様である。ただし、顕微鏡対物レンズ１０ではスプリング４の他端がリング部材５に接しているのに対して、顕微鏡対物レンズ１２ではスプリング４の他端が後群Ｇ２（レンズ枠２ｃ）に接している点が、顕微鏡対物レンズ１２は顕微鏡対物レンズ１０とは異なる。
【００２４】
顕微鏡対物レンズ１２によっても、顕微鏡対物レンズ１０と同様に、簡単な構造で標本等との接触に起因する衝撃を緩和することができる。なお、スプリング４は、一端が前群Ｇ１に接し、且つ、他端が外枠１に固定された部材に接していればよい。
【００２５】
図５は、更に別の変形例に係る顕微鏡対物レンズ１３の断面図である。顕微鏡対物レンズ１３は、スプリング４の代わりに板バネ８を備える点が顕微鏡対物レンズ１０とは異なる。板バネ８は、前群Ｇ１と後群Ｇ２の間に一端が前群Ｇ１に接するように配置された、前群Ｇ１を光軸方向に沿って物体側に付勢する弾性部材である。
【００２６】
顕微鏡対物レンズ１３によっても、顕微鏡対物レンズ１０と同様に、簡単な構造で標本等との接触に起因する衝撃を緩和することができる。なお、前群Ｇ１と後群Ｇ２の間には、スプリング４、板バネ８に限らず、任意の弾性部材を採用し得る。
【実施例２】
【００２７】
図６は、本実施例に係る顕微鏡対物レンズ２０の断面図であり、光軸ＡＸに沿った面における顕微鏡対物レンズ２０の断面を示している。顕微鏡対物レンズ２０は、先端が標本等と接触したときに外枠２１内に配置された複数のレンズ部組の一部が光軸方向に移動することで衝撃を緩和する緩衝構造を備える対物レンズである点は、顕微鏡対物レンズ１０と同様である。
【００２８】
顕微鏡対物レンズ２０は、リング部材５、螺子６及び外枠１の代わりに、外枠２１を備える点が、顕微鏡対物レンズ１０とは異なる。外枠２１は、前群Ｇ１と後群Ｇ２の間に突出した突出部２１ａを有する。スプリング４は、前群Ｇ１と突出部２１ａの間に一端が前群Ｇ１に接し他端が突出部２１ａに接するように配置される。
【００２９】
顕微鏡対物レンズ２０では、突出部２１ａによって後群Ｇ２の光軸方向の移動が規制される。即ち、突出部２１ａは後群Ｇ２の光軸方向の移動を規制する規制部である。このため、顕微鏡対物レンズ２０は、顕微鏡対物レンズ１０と比較すると、螺子６と螺子６によって外枠１に固定されるリング部材５を省略することができる。
【００３０】
顕微鏡対物レンズ２０によっても、顕微鏡対物レンズ１０と同様に、簡単な構造で標本等との接触に起因する衝撃を緩和することができる。また、顕微鏡対物レンズ２０は、顕微鏡対物レンズ１０の外枠１とリング部材５と螺子６が実質的に一体化した外枠２１を有するため、顕微鏡対物レンズ１０よりも部品点数を削減することができる。従って、顕微鏡対物レンズ２０によれば、部品点数の削減とそれに伴う組み立て工数の削減により、さらに製造原価を抑えることができる。
【実施例３】
【００３１】
図７は、本実施例に係る顕微鏡対物レンズ３０の断面図であり、光軸ＡＸに沿った面における顕微鏡対物レンズ３０の断面を示している。顕微鏡対物レンズ３０は、先端が標本等と接触したときに外枠１内に配置された複数のレンズ部組の一部が光軸方向に移動することで衝撃を緩和する緩衝構造を備える対物レンズである点は、顕微鏡対物レンズ１０と同様である。
【００３２】
顕微鏡対物レンズ３０は、規制部材であるリング部材５と後群Ｇ２の間に、より詳細には、リング部材５とレンズ枠２ｃの間に、レンズ間隔を調整する間隔調整部材であるスペーサ３１を備える点が、顕微鏡対物レンズ１０とは異なる。スペーサ３１は、例えば、金属箔などである。
【００３３】
顕微鏡対物レンズ３０によっても、顕微鏡対物レンズ１０と同様に、簡単な構造で標本等との接触に起因する衝撃を緩和することができる。また、顕微鏡対物レンズ３０は、スペーサ３１を挿脱する又はスペーサ３１の厚さを調整することで、レンズ間隔を高精度に調整することができる。特に、リング部材５と後群Ｇ２の間にスペーサ３１を配置することで、スプリング４に依存する前群Ｇ１と後群Ｇ２の間の間隔を調整することができる。
【実施例４】
【００３４】
図８は、本実施例に係る顕微鏡対物レンズ４０の断面図であり、光軸ＡＸに沿った面における顕微鏡対物レンズ４０の断面を示している。顕微鏡対物レンズ４０は、先端が標本等と接触したときに外枠１内に配置された複数のレンズ部組の一部が光軸方向に移動することで衝撃を緩和する緩衝構造を備える対物レンズである点は、顕微鏡対物レンズ１０と同様である。
【００３５】
顕微鏡対物レンズ４０は、リング部材５及びレンズ枠２ｃの代わりにレンズ枠４１を備える点が、顕微鏡対物レンズ１０とは異なる。顕微鏡対物レンズ４０では、固定部材である螺子６が後群Ｇ２の最も物体側のレンズ部組４２を外枠１に固定している。より詳細には、レンズ部組４２を構成するレンズ枠４１に螺子穴が形成されていて、螺子６が外枠１に形成された貫通穴を通ってレンズ枠４１に形成された螺子穴に挿入されてレンズ枠４１に螺合されることで、レンズ枠４１（レンズ部組４２）が外枠１に固定される。
【００３６】
顕微鏡対物レンズ４０によっても、顕微鏡対物レンズ１０と同様に、簡単な構造で標本等との接触に起因する衝撃を緩和することができる。また、顕微鏡対物レンズ４０は、リング部材５を省略することができるため、顕微鏡対物レンズ１０よりも部品点数を削減することができる。従って、顕微鏡対物レンズ４０によれば、部品点数の削減とそれに伴う組み立て工数の削減により、さらに製造原価を抑えることができる。
【００３７】
上述した実施例は、発明の理解を容易にするための具体例を示したものであり、本発明の実施例はこれらに限定されるものではない。顕微鏡対物レンズは、特許請求の範囲に記載された発明を逸脱しない範囲において、さまざまな変形、変更が可能である。例えば、上述した実施例では、前群が２つ又は３つのレンズ部組からなり、後群が４つ又は３つのレンズ部組からなる例を示したが、前群と後群は、それぞれ少なくとも１つのレンズ部組を含んでいれば良い。
【符号の説明】
【００３８】
１、２１、１０１・・・外枠、１ａ、１ｂ・・・ねじ山、２、１０６・・・押さえ環、２ａ、２ｂ、２ｃ、２ｄ、２ｅ、２ｆ、４１・・・レンズ枠、３ａ、３ｂ、３ｃ、３ｄ、３ｅ、３ｆ、４２・・・レンズ部組、４、１０５・・・スプリング、５・・・リング部材、６・・・螺子、７・・・カバー、８・・・板バネ、１０、１１、１２、１３、２０、３０、４０、１００・・・顕微鏡対物レンズ、２１ａ・・・突出部、３１・・・スペーサ、１０２・・・中枠、１０３・・・ストッパ、１０４・・・ピン、ＡＸ・・・光軸、Ｌ１、Ｌ２、Ｌ３、Ｌ４、Ｌ５、Ｌ６・・・レンズ、Ｇ１・・・前群、Ｇ２・・・後群
【図１】
2018005185.tif 000003
【図２】
2018005185.tif 000004
【図３】
2018005185.tif 000005
【図４】
2018005185.tif 000006
【図５】
2018005185.tif 000007
【図６】
2018005185.tif 000008
【図７】
2018005185.tif 000009
【図８】
2018005185.tif 000010